(57)【要約】【課題】床パネルとして、コスト上昇を抑えつつ、室内中央部については強度を維持し、かつ壁際部については切断可能とする。【解決手段】床パネル１は、金属製の上板３と、この上板３に対向する側に凹部５ａを備えた金属製の下板５とを互いに重ね合わせて接合固定し、これら相互間にモルタル７を充填する。壁際の床パネル１Ａは、他の床パネル１とほぼ同形状のものを切断して使用している。この切断して使用する床パネル１Ａは、モルタル７に気泡１５を含有させる一方、他の床パネル１は、気泡１５を含有しないか、あるいは、気泡１５の含有率を低くする。これにより、床パネル１の比重を壁際の床パネル１Ａの比重より大きくする。【選択図】図１
2010255279.tif 000002
【特許請求の範囲】
【請求項１】
金属製の上板と、この上板に対向する側に凹部を備えた金属製の下板とを互いに接合固定し、前記上板と下板との間の前記凹部内に充填材を充填した床パネルを複数用いた床構造において、前記充填材の比重を互いに異ならせた２種の床パネルを、床面の互いに異なる位置に配置したことを特徴とする床パネル構造。
【請求項２】
前記２種の床パネルのうち前記充填材の比重が小さい床パネルを、壁際に配置したことを特徴とする請求項１に記載の床パネル構造。
【請求項３】
前記２種の床パネルにおける前記充填材の比重は、充填材における気泡の含有率の違いによって異なっていることを特徴とする請求項１または２に記載の床パネル構造。
【請求項４】
床面に配置する複数の前記床パネルの角部周辺を支柱により支持して二重床とし、前記壁際に配置する充填材の比重が小さい床パネルは、前記角部周辺を支持する支柱のほか、辺部周辺を支持する辺部用支柱で支持されることを特徴とする請求項１ないし３のいずれか１項に記載の床パネル構造。
【請求項５】
前記充填材の比重が小さい床パネルは、前記充填材の比重が大きい床パネルと識別するための識別部を備えていることを特徴とする請求項１ないし４のいずれか１項に記載の床パネル構造。
【発明の詳細な説明】
【技術分野】
【０００１】
本発明は、金属製の上板と、この上板に対向する側に凹部を備えた金属製の下板とを互いに接合固定し、上板と下板との間に充填材を充填した床パネルを複数用いた床パネル構造に関する。
【背景技術】
【０００２】
近年、電力、電話、データの量の多量化に対応して二重床システムが採用されている。この二重床システムは、例えば、コンクリートスラブなどの床基材の上に多数の支柱を立設して該支柱により床パネルを支持することにより、床パネルと床基材との間の隙間を配線用空間とし、この配線用空間に電力線、情報線などのケーブルを配線するようにしている。
【０００３】
このような二重床システムに使用する床パネルとして、互いに接合した金属板相互間に充填材としてセメントを充填したものが知られている（下記特許文献１参照）。
【先行技術文献】
【特許文献】
【０００４】
【特許文献１】特許第３２１３４２７号公報
【発明の概要】
【発明が解決しようとする課題】
【０００５】
ところで、複数の床パネルを床面に順次敷き詰めて施工する際に、最後に残った壁際部分の未施工の領域が、１枚分の床パネルの大きさよりも狭い場合には、床パネルを切断して使用している。このため、使用する床パネルとしては、すべて施工現場にて切断可能な強度（硬度）を有するものを使用する必要がある。
【０００６】
ところがこの場合、すべて施工現場にて切断可能な床パネルを使用するので、より強度が必要となる施工領域の床パネルの強度が不足する恐れある。
【０００７】
施工現場にて切断可能としつつ床パネルの強度を高めるためには、金属製の上板や下板の板厚を厚くすることが考えられるが、コストダウンの要求に応じてこれらの薄板化を進めている現状では、逆にコストアップを招くものとなって好ましくない。
【０００８】
そこで、本発明は、床パネルとして、コスト上昇を抑えつつ、切断して使用する施工領域及び強度が必要な施工領域にそれぞれ対応して使用可能とすることを目的としている。
【課題を解決するための手段】
【０００９】
請求項１の発明は、金属製の上板と、この上板に対向する側に凹部を備えた金属製の下板とを互いに接合固定し、前記上板と下板との間の前記凹部内に充填材を充填した床パネルを複数用いた床構造において、前記充填材の比重を互いに異ならせた２種の床パネルを、床面の互いに異なる位置に配置したことを特徴とする。
【００１０】
請求項２の発明は、請求項１に記載の床パネル構造であって、前記２種の床パネルのうち前記充填材の比重が小さい床パネルを、壁際に配置したことを特徴とする。
【００１１】
請求項３の発明は、請求項１または２に記載の床パネル構造であって、前記２種の床パネルにおける前記充填材の比重は、充填材における気泡の含有率の違いによって異なっていることを特徴とする。
【００１２】
請求項４の発明は、請求項１ないし３のいずれか１項に記載の床パネル構造であって、床面に配置する複数の前記床パネルの角部周辺を支柱により支持して二重床とし、前記壁際に配置する充填材の比重が小さい床パネルは、前記角部周辺を支持する支柱のほか、辺部周辺を支持する辺部用支柱で支持されることを特徴とする。
【発明の効果】
【００１３】
請求項１の発明によれば、比重が大きい充填材を充填した床パネルは、比重が小さい充填材の床パネルに比較して強度が高くなる傾向にあることから、より高い強度が要求される施工領域に配置できる一方、比重が小さい充填材を充填した床パネルは、比重が大きい充填材の床パネルに比較して切断が容易になる傾向にあることから、切断が必要な施工領域に適用することができる。この際、より高い強度が要求される施工領域の床パネルの強度を高めるために、金属製の上板や下板の板厚を厚くする必要がなく、単に充填材の比重を調整して大きくするだけでよいので、コス上昇を抑えることができる。
【００１４】
請求項２の発明によれば、比重の小さい充填材を充填した床パネルを壁際に適用することで、床パネルを切断して使用することが容易となる。
【００１５】
請求項３の発明によれば、単に充填材における気泡の含有率を変化させることで２種の床パネルを用意できるので、例えば、より強度が必要となる施工領域にＧＲＣ（ガラス繊維強化コンクリート）を配置しつつ、切断して使用する施工領域にはパーティクルボードを適用する場合のように、２種の材質の全く異なる床パネルを併用する場合に比較してコスト低下を図ることができる。
【００１６】
請求項４の発明によれば、比重の小さい充填材を備える床パネルに対し、角部周辺を支持する支柱のほか、辺部用支柱により辺部をも支持することで、荷重性能を高めることができる。
【００１７】
請求項５の発明によれば、充填材の比重が小さい床パネルを切断する際に、充填材の比重が大きい床パネルとの識別が容易になるので、作業性が向上する。
【図面の簡単な説明】
【００１８】
【図１】本発明の一実施形態に係わる二重床システムの一部を示す斜視図である。
【図２】図１の二重床システムに使用する床パネルの半分を断面で示す側面図である。
【図３】図１の二重床システムの一部を分解した斜視図である。
【図４】図１の二重床システムに使用する床パネルを部分的に拡大して示す断面図で、（ａ）は充填材の比重が小さい床パネル、（ｂ）は充填材の比重が大きい床パネルをそれぞれ示す。
【発明を実施するための形態】
【００１９】
以下、本発明の実施の形態を図面に基づき説明する。
【００２０】
図１に示すように、建物の室内の床面を構成する複数の床パネル１は、図２に示すように、上板３と、下板５と、これら上板３及び下板５相互間の空隙に充填される充填材としてのモルタル７とを備えている。上板３及び下板５は、鋼板で構成した金属製であり、下板５は、上板３に対向する側に凹部５ａを備えるとともに、上板３と反対側の裏面には、凹曲面で構成される複数の窪み部となるディンプル５ｂを備えて、プレス成形されている。
【００２１】
これらの上板３及び下板５は、外周部に形成してあるフランジ部９を、溶接などによって接合固定するとともに、上記した下板５のディンプル５ｂの先端（底部）と上板３との接触部も溶接によって接合固定している。
【００２２】
そして、上板３と下板５との間の空隙を構成する凹部５ａ内には、前記した充填材としてのモルタル７を充填している。
【００２３】
このような床パネル１は、図３に示すように、互いに隣接するもの同士の角部周辺を支柱１３により支持して、該支柱１３を設置してあるコンクリートスラブなどの床基材とで二重床システムを構成している。
【００２４】
ここで、本実施形態では、図１に示すように、床パネル１を室内の床面に順次敷き詰めて施工する際に、最後に施工する領域となる壁部１５側の壁際部分については、ほぼ正方形状の床パネル１に対し例えば半分程度に切断したものと同様な形状の床パネル１Ａを使用している。
【００２５】
上記壁際に配置する床パネル１Ａは、切断前の形状としては床パネル１と同様のほぼ正方形状であり、この際、本実施形態では、切断していない床パネル１のモルタル７の比重を、切断した床パネル１Ａのモルタル７の比重よりも大きくしている。
【００２６】
具体的には、図４に示すように、充填材であるモルタル７に含有する気泡１５の量（比率）を調整することで、モルタル７の比重を異ならせている。すなわち、図４（ａ）に示す床パネル１Ａは気泡１５を含有することで比重を小さくする一方で、図４（ｂ）に示す床パネル１は、気泡１５を含有させないことで比重を大きくしている。
【００２７】
ここで、上記した気泡１５を含有するモルタル７は、動物の脂肪を発泡させて混入することで製造する。硬化状態のモルタル７は、気泡１５の部分が空洞となるので、比重を小さくすることができ、空洞が形成される分、切断が容易となる。逆に、気泡１５が含有しない（発泡させた脂肪を混入しない）モルタル７は、空洞が形成されない分、強度が高まる。
【００２８】
なお、図４（ｂ）の床パネル１における比重が大きいモルタル７については、気泡１５が含有していてもよく、但しその際気泡１５の含有率を、図４（ａ）の床パネル１Ａにおける比重が小さいモルタル７よりも気泡１５の含有率を低くする。
【００２９】
また、壁際に配置する比重の小さい床パネル１Ａ上に例えば重量物を設置するなどで荷重負荷が大きくなる場合には、図３に示した支柱１３とは別に、辺部１７の例えば中央部位を図示しない辺部用の支柱によって支持する。
【００３０】
また、床パネル１と、切断前の床パネル１Ａは、外観上ほぼ同一形状であるので、ここでは比重の小さいモルタル７を備える床パネル１Ａを、比重の大きい床パネル１に対して識別が容易となるように、例えばその側面や裏面を塗色しておくなどして、識別部となる目印を設けておく。
【００３１】
このような構造の二重床システムでは、比重の大きいモルタル７を充填した床パネル１を室内の床面に支柱１３に支持させながら、順次敷き詰めて施工していく。そして、最後に壁部１５近傍における壁際の未施工の領域が、正方形の床パネル１では狭過ぎる場合には、別途容易してある、床パネル１とほぼ同形状の正方形の床パネル１Ａを上記未施工の領域に合わせて切断する。
【００３２】
この床パネル１Ａのモルタル７は、気泡１５の含有率が床パネル１のモルタル７に比較して高いことから、切断が容易であり、このため施工現場での切断作業性が向上する。一方、モルタル７中の気泡１５の含有率が、床パネル１Ａに比較して低い床パネル１は、壁部１５近傍以外の大部分の施工領域に配置しているので、壁部１５近傍に比較して、荷重負荷が大きくなりがちな室内の中央側の強度を確保することができ、高品質な二重床システムとすることができる。また、中央側の床パネル１におけるモルタル７の比重を高めることで、硬度が上昇するので、歩行感が向上する。
【００３３】
この際、本実施形態では、室内の中央側に使用する床パネル１の強度を高めるために、金属製の上板３や下板５の板厚を厚くする必要がないので、コス上昇を抑えることができる。
【００３４】
また、本実施形態では、単にモルタル７における気泡の含有率を変化させることで２種の床パネル１，１Ａを用意できるので、例えば、ＧＲＣを室内中央側に配置しつつ壁際には切断容易なパーティクルボードを配置する場合のように、２種の材質の全く異なる床パネルを併用する場合に比較してコスト低下を図ることができる。
【００３５】
また、本実施形態では、比重の小さいモルタル７を備える床パネル１Ａに対し、角部周辺を支持する支柱１３のほか、辺部用支柱により辺部１７をも支持することで、床パネル１に比較して強度が低い床パネル１Ａの荷重性能を高めることができる。
【００３６】
さらに、本実施形態では、モルタル７の比重が小さい床パネル１Ａを切断する際には、床パネル１Ａに側面や裏面を塗色しておくなどして識別部となる目印を設けているので、床パネル１との識別が容易となり、作業性が向上する。
【００３７】
なお、上記実施形態では、充填材としてモルタル７を使用しているが、樹脂を使用してもよい。
【００３８】
また、床パネル１に使用するモルタル７の比重は、最大２．０とする一方。床パネル１Ａに使用するモルタル７の比重は、１．２〜１．４とする。比重を１．４に対して２．０とすることで、荷重性能が約０．４ｍｍ（変形量）向上する。これは、鋼板である上板３あるいは下板５の板厚を０．１ｍｍ薄くしても、同等の荷重性能を確保できるものであり、したがって、荷重性能を同等とする場合には、上板３あるいは下板５の板厚を薄くすることで材料コストを低減することができる。
【００３９】
さらに、上記した上板３や下板５の薄板化による材料使用量削減により、二酸化炭素の削減にも寄与することができ、また軽量化による輸送コストの削減効果及び、輸送する際の二酸化炭素の削減効果も期待できる。
【符号の説明】
【００４０】
１  比重の大きい床パネル
１Ａ  比重の小さい床パネル
３  上板
５  下板
５ａ  下板の凹部
７  モルタル（充填材）
１３  支柱
１５  気泡
【図１】
2010255279.tif 000003
【図２】
2010255279.tif 000004
【図３】
2010255279.tif 000005
【図４】
2010255279.tif 000006